(57)【要約】【課題】  シーンごとの全撮像時間や記録容量を画像の撮像日時と関連付けて表示させる。【解決手段】  撮像情報取得部２０１から画像の撮像日時や記録容量などの情報を取得される。この取得された情報はインデックステーブル２０２において保持される。期間設定部２０４において期間表示における期間を設定する。撮像開始位置決定部２０３は、この期間表示における各画像の撮像開始日時に相当する位置を決定する。また、撮像時間長決定部２０５は、この期間表示における各画像の撮像時間の長さの表示範囲を決定する。また、記録容量長決定部２０６は、画像の記録容量の表示範囲を決定する。この決定結果に基づいて期間表示に対して画像の撮像開始位置、撮像時間長または画像の記録容量の大きさを表示する撮像位置表示が撮像位置表示生成部２０８において生成される。【選択図】      図４
2006287763.tif 000002
【特許請求の範囲】
【請求項１】
記録媒体から所定の画像の撮像日時を取得する撮像日時取得手段と、
所定期間を表す期間表示において前記撮像日時の対応する位置を撮像位置として決定する撮像位置決定手段と、
前記期間表示および前記撮像位置を重ね合わせて撮像位置表示として生成する撮像位置表示生成手段と
を具備することを特徴とする画像生成装置。
【請求項２】
前記所定期間を設定する期間設定手段をさらに具備することを特徴とする請求項１記載の画像生成装置。
【請求項３】
前記期間設定手段は、開始日時と終了日時を特定して前記設定をすることを特徴とする請求項２記載の画像生成装置。
【請求項４】
前記期間設定手段によって設定された期間において周期的に前記期間表示に重ねて効果表示を付加する効果表示付加手段をさらに具備することを特徴とする請求項２記載の画像生成装置。
【請求項５】
前記撮像位置表示生成手段は、前記画像の撮像開始日時から前記画像が撮像された時間に相当する長さまでを前記撮像位置として表示させるものとして前記撮像位置表示を生成することを特徴とする請求項１記載の画像生成装置。
【請求項６】
前記撮像位置決定手段は、前記画像が撮像された時間に相当する長さを前記所定期間に対する各画像が撮像された時間の割合に基づいて決定することを特徴とする請求項５記載の画像生成装置。
【請求項７】
前記記録媒体から前記所定の画像の記録容量を取得する記録容量取得手段と、
前記画像の記録容量に相当する長さを決定する記録容量長決定手段と
をさらに具備し、
前記撮像位置表示生成手段は、さらに前記画像の記録容量に相当する長さも重ね合わせて撮像位置表示として生成することを特徴とする請求項１記載の画像生成装置。
【請求項８】
前記記録容量長決定手段は、前記画像の記録容量に相当する長さを前記撮像位置表示される画像における最大の記録容量に対する各画像の記録容量の割合に基づいて決定することを特徴とする請求項７記載の画像生成装置。
【請求項９】
前記期間表示の任意の点を選択させる操作手段と、
前記選択された任意の点に対応する領域を判断する選択領域判断手段と、
前記画像に対応するサムネイルを保持するサムネイル保持手段と、
前記サムネイル保持手段から前記領域に対応する前記サムネイルを抽出するサムネイル抽出手段と
をさらに具備することを特徴とする請求項１記載の画像生成装置。
【請求項１０】
前記選択された領域に対応する前記期間表示に対し選択されたことを表す被選択表示を生成する被選択表示生成手段をさらに具備することを特徴とする請求項９記載の画像生成装置。
【請求項１１】
前記撮像位置表示の所定部分を選択させる操作手段と、
前記選択された前記所定部分に相当する日時が前記撮像位置表示における前記所定期間に含まれかつ前記選択前よりも前記所定期間が短くなるよう前記所定期間の前記所定期間設定手段に設定をする期間短縮設定手段と
を具備することを特徴とする請求項１記載の画像生成装置。
【請求項１２】
記録媒体から所定の画像の撮像日時を取得する撮像日時取得手段と、
前記撮像日時に基づいて前記所定の画像における各画像の撮像開始日時を生成する撮像開始日時生成手段と、
所定期間を表す期間表示において前記撮像開始日時の対応する位置を撮像開始位置として決定する撮像開始位置決定手段と、
２次元表示における少なくとも一方の軸方向には前記所定期間に対する前記撮像開始位置を表示する撮像位置表示を生成する撮像位置表示生成手段と
を具備することを特徴とする画像生成装置。
【請求項１３】
前記画像の撮像日時に基づいて前記画像の撮像時間に相当する長さを決定する撮像時間長決定手段をさらに具備し、
前記撮像位置表示生成手段は、前記撮像位置表示として前記２次元表示における他方の軸方向において前記画像の撮像時間に相当する長さを表示させるものとして生成することを特徴とする請求項１２記載の画像生成装置。
【請求項１４】
前記撮像時間長決定手段は、前記画像の撮像時間に相当する長さを前記撮像位置表示される画像における最大の撮像時間に対する各画像の撮像時間の割合に基づいて決定することを特徴とする請求項１３記載の画像生成装置。
【請求項１５】
前記記録媒体から前記所定の画像の記録容量を取得する記録容量取得手段と、
前記画像の記録容量に相当する長さを決定する記録容量長決定手段と
をさらに具備し、
前記撮像位置表示生成手段は、前記撮像位置表示として前記２次元表示における他方の軸方向において前記画像の記録容量に相当する長さを表示させるものとして生成することを特徴とする請求項１２記載の画像生成装置。
【請求項１６】
記録媒体から所定の画像の撮像日時を取得する撮像日時取得手段と、
前記画像の撮像日時に基づいて所定期間内における単位期間あたりに画像を撮像した回数に相当する長さを撮像回数長として決定する撮像回数長決定手段と、
前記撮像回数長を時系列に並べた撮像頻度表示として生成する撮像頻度表示生成手段と
を具備することを特徴とする画像生成装置。
【請求項１７】
前記撮像頻度表示生成手段は、前記撮像頻度表示の一方の軸方向においては前記画像の前記単位期間の位置を表示させ、他方の軸方向においては前記撮像回数長を表示させるものとして２次元に表示された前記撮像頻度表示を生成することを特徴とする請求項１６記載の画像生成装置。
【請求項１８】
前記撮像回数長決定手段は、前記撮像回数長を前記単位期間あたりに画像を撮像した最大の回数に対する前記単位期間あたりに画像を撮像した回数の割合に基づいて決定することを特徴とする請求項１６記載の画像生成装置。
【請求項１９】
記録媒体から所定の画像の撮像日時を取得する撮像日時取得手段と、
所定期間を表す期間表示において前記撮像日時の対応する位置を撮像位置として決定する撮像位置決定手段と、
前記期間表示および前記撮像位置を重ね合わせて表示する撮像位置表示手段と
を具備することを特徴とする表示装置。
【請求項２０】
記録媒体から所定の画像の撮像日時を取得する撮像日時取得手順と、
所定期間を表す期間表示において前記撮像日時の対応する位置を撮像位置として決定する撮像位置決定手順と、
前記期間表示および前記撮像位置を重ね合わせて撮像位置表示として生成する撮像位置表示生成手順と
を具備することを特徴とする画像生成方法。
【請求項２１】
記録媒体から所定の画像の撮像日時を取得する撮像日時取得手順と、
前記撮像日時に基づいて前記所定の画像における各画像の撮像開始日時を生成する撮像開始日時生成手順と、
所定期間を表す期間表示において前記撮像開始日時の対応する位置を撮像開始位置として決定する撮像開始位置決定手順と、
２次元表示における少なくとも一方の軸方向には前記所定期間に対する前記撮像開始位置を表示する撮像位置表示を生成する撮像位置表示生成手順と
を具備することを特徴とする画像生成装置。
【請求項２２】
記録媒体から所定の画像の撮像日時を取得する撮像日時取得手順と、
前記画像の撮像日時に基づいて所定期間内における単位期間あたりに画像を撮像した回数に相当する長さを撮像回数長として決定する撮像回数長決定手順と、
前記撮像回数長を時系列に並べた撮像頻度表示として生成する撮像頻度表示生成手順と
を具備することを特徴とする画像生成方法。
【請求項２３】
記録媒体から所定の画像の撮像日時を取得する撮像日時取得ステップと、
所定期間を表す期間表示において前記撮像日時の対応する位置を撮像位置として決定する撮像位置決定ステップと、
前記期間表示および前記撮像位置を重ね合わせて撮像位置表示として生成する撮像位置表示生成ステップと
をコンピュータに実行させることを特徴とするプログラム。
【請求項２４】
記録媒体から所定の画像の撮像日時を取得する撮像日時取得ステップと、
前記撮像日時に基づいて前記所定の画像における各画像の撮像開始日時を生成する撮像開始日時生成ステップと、
所定期間を表す期間表示において前記撮像開始日時の対応する位置を撮像開始位置として決定する撮像開始位置決定ステップと、
２次元表示における少なくとも一方の軸方向には前記所定期間に対する前記撮像開始位置を表示する撮像位置表示を生成する撮像位置表示生成ステップと
をコンピュータに実行させることを特徴とするプログラム。
【請求項２５】
記録媒体から所定の画像の撮像日時を取得する撮像日時取得ステップと、
前記画像の撮像日時に基づいて所定期間内における単位期間あたりに画像を撮像した回数に相当する長さを撮像回数長として決定する撮像回数長決定ステップと、
前記撮像回数長を時系列に並べた撮像頻度表示として生成する撮像頻度表示生成ステップと
をコンピュータに実行させることを特徴とするプログラム。
【発明の詳細な説明】
【技術分野】
【０００１】
本発明は、所定の期間を表す期間表示に対して画像の撮像日時および記録時間などを表示させる画像生成装置およびこれらにおける処理方法ならびに当該方法をコンピュータに実行させるプログラムに関する。
【背景技術】
【０００２】
近年、従前よりある着脱可能なテープを使用したビデオカメラに加えて、ＤＶＤやハードディスクなどのメディアに動画を記録するビデオカメラが普及してきている。これらのメディアは、従来のテープ式のメディアと違って、ランダムアクセス可能なメディアである。テープ式のビデオカメラで見たいシーンを再生するには、早送りや巻き戻しが必要なことが多く、見たいシーンを見るのに時間がかかっていた。一方、ランダムアクセス可能なメディアを用いたビデオカメラでは、コンテンツ再生の際に従来のテープ式のビデオカメラで必要だった早送りや巻き戻しをすることなしにコンテンツを再生することができる。
【０００３】
また、テープ式のビデオカメラには、動画の内容を表すインデックスは存在しないが、ランダムアクセス可能なメディアを用いたビデオカメラには、一般的にサムネイルを用いたインデックスがあり、再生したいシーンを選択するのに便宜である。そして、ランダムアクセス可能なメモリに記録した動画のインデックスは、シーンもしくは、ファイルの数だけのサムネイルがその動画の代表画として例えば１ページに６枚表示される。このサムネイルを選択すると画面表示が切り替わり、そのサムネイルに対応する静止画または動画の記録日時や記録時間などの情報を表示されたり、動画再生の際、そのシーンが再生されてからどの程度の時間経過しているかが表示されたりする技術が提案されている。（例えば、特許文献１参照。）。
【特許文献１】特開２００１−６９４５６号公報（図１４）
【発明の開示】
【発明が解決しようとする課題】
【０００４】
しかし、上述の従来技術では、シーンごとの全撮像時間や記録容量を知ることができない。また、画像の撮像された頻度や日時の推移などを知ることはできない。特に１つのシーンにおける撮像時間記録を知るには、そのシーンを最後まで再生しないとそのシーンの撮像時間を知ることができない。また、記録された頻度や日時の推移などは知る手段については存在していない。
【０００５】
そこで、本発明は、シーンごとの全撮像時間や記録容量を画像の撮像日時と関連付けて表示させることを目的とする。
【課題を解決するための手段】
【０００６】
本発明は、上記課題を解決するためになされたものであり、その第１の側面は、記録媒体から所定の画像の撮像日時を取得する撮像日時取得手段と、所定期間を表す期間表示において上記撮像日時の対応する位置を撮像位置として決定する撮像位置決定手段と、上記期間表示および上記撮像位置を重ね合わせて撮像位置表示として生成する撮像位置表示生成手段とを具備することを特徴とする画像生成装置である。これにより、撮像位置表示において所定期間における画像を撮像した日時の位置を相対的に表示させるという作用をもたらす。なお、画像を撮像した日時とは、画像の撮像を開始した日時および画像の撮像を終了した日も含む。
【０００７】
また、この第１の側面において、上記所定期間を設定する期間設定手段をさらに具備することを特徴とする画像生成装置である。これにより、期間表示における期間を変更させるという作用をもたらす。
【０００８】
また、上記期間設定手段は、開始日時と終了日時を特定して上記設定をすることを特徴とする画像生成装置である。これにより、期間表示における期間を自由に設定させるという作用をもたらす。
【０００９】
また、上記期間設定手段によって設定された期間において周期的に上記期間表示に重ねて効果表示を付加する効果表示付加手段をさらに具備することを特徴とする画像生成装置である。これによりこれにより、撮像位置表示において所定期間における時刻などを把握させる表示を表示させるという作用をもたらす。
【００１０】
また、この第１の側面において、上記撮像位置表示生成手段は、上記画像の撮像開始日時から上記画像が撮像された時間に相当する長さまでを上記撮像位置として表示させるものとして上記撮像位置表示を生成することを特徴とする画像生成装置である。これにより、撮像位置表示において撮像開始時刻のみならず画像の撮像時間まで表示させるという作用をもたらす。
【００１１】
また、上記撮像位置決定手段は、上記画像が撮像された時間に相当する長さを上記所定期間に対する各画像が撮像された時間の割合に基づいて決定することを特徴とする画像生成装置である。これにより、撮像位置表示において所定期間に対する画像の撮像時間を表示させるという作用をもたらす。
【００１２】
また、この第１の側面において、上記記録媒体から上記所定の画像の記録容量を取得する記録容量取得手段と、上記画像の記録容量に相当する長さを決定する記録容量長決定手段とをさらに具備し、上記撮像位置表示生成手段は、さらに上記画像の記録容量に相当する長さも重ね合わせて撮像位置表示として生成することを特徴とする画像生成装置である。これにより、撮像位置表示において画像の記録容量も表示させるという作用をもたらす。
【００１３】
また、上記記録容量長決定手段は、上記画像の記録容量に相当する長さを上記撮像位置表示される画像における最大の記録容量に対する各画像の記録容量の割合に基づいて決定することを特徴とする画像生成装置である。これにより、撮像位置表示において記録容量の大きさ違いを明確に表示させるという作用をもたらす。
【００１４】
また、この第１の側面において、上記期間表示の任意の点を選択させる操作手段と、
上記選択された任意の点に対応する領域を判断する選択領域判断手段と、上記画像に対応するサムネイルを保持するサムネイル保持手段と、上記サムネイル保持手段から上記領域に対応する上記サムネイルを抽出するサムネイル抽出手段とをさらに具備することを特徴とする画像生成装置である。これにより、撮像位置表示とサムネイル表示を対応づけて表示させるという作用をもたらす。
【００１５】
また、上記選択された領域に対応する上記期間表示に対し選択されたことを表す被選択表示を生成する被選択表示生成手段をさらに具備することを特徴とする画像生成装置である。これにより、撮像位置表示とサムネイル表示との対応を把握させる表示を表示画面上に表示させるという作用をもたらす。
【００１６】
また、この第１の側面において、上記撮像位置表示の所定部分を選択させる操作手段と、上記選択された上記所定部分に相当する日時が上記撮像位置表示における上記所定期間に含まれかつ上記選択前よりも上記所定期間が短くなるよう上記所定期間を設定する期間短縮設定手段とを具備することを特徴とする画像生成装置である。これにより、撮像位置表示中の期間が短くなるのである期間における画像の撮像の記録を細かく表示させるという作用をもたらす。
【００１７】
また、その第２の側面は、記録媒体から所定の画像の撮像日時を取得する撮像日時取得手段と、上記撮像日時に基づいて上記所定の画像における各画像の撮像開始日時を生成する撮像開始日時生成手段と、所定期間を表す期間表示において上記撮像開始日時の対応する位置を撮像開始位置として決定する撮像開始位置決定手段と、２次元表示における少なくとも一方の軸方向には上記所定期間に対する上記撮像開始位置を表示する撮像位置表示を生成する撮像位置表示生成手段とを具備することを特徴とする画像生成装置である。これにより、撮像位置表示を２次元表示させると同時に、撮像位置表示において所定期間における画像を撮像した日時の位置を相対的に表示させるという作用をもたらす。
【００１８】
また、その第２の側面において、上記画像の撮像日時に基づいて上記画像の撮像時間に相当する長さを決定する撮像時間長決定手段をさらに具備し、上記撮像位置表示生成手段は、上記撮像位置表示として上記２次元表示における他方の軸方向において上記画像の撮像時間に相当する長さを表示させるものとして生成することを特徴とする画像生成装置である。これにより、一方の軸方向には画像の撮像開始日時の様子を表示させ、他方の軸方向には画像の撮像時間の様子を表示させるという作用をもたらす。
【００１９】
また、上記撮像時間長決定手段は、上記画像の撮像時間に相当する長さを上記撮像位置表示される画像における最大の撮像時間に対する各画像の撮像時間の割合に基づいて決定することを特徴とする画像生成装置である。これにより、画像の撮像時間の違いを明確に表した表示をさせるという作用をもたらす。
【００２０】
また、その第２の側面において、上記記録媒体から上記所定の画像の記録容量を取得する記録容量取得手段と、上記画像の記録容量に相当する長さを決定する記録容量長決定手段とをさらに具備し、上記撮像位置表示生成手段は、上記撮像位置表示として上記２次元表示における他方の軸方向において上記画像の記録容量に相当する長さを表示させるものとして生成することを特徴とする画像生成装置である。これにより、一方の軸方向には画像の撮像開始日時の様子を表示させ、他方の軸方向には画像の記録容量の様子を表示させるという作用をもたらす。
【００２１】
また、本発明の第３の側面は、記録媒体から所定の画像の撮像日時を取得する撮像日時取得手段と、上記画像の撮像日時に基づいて所定期間内における単位期間あたりに画像を撮像した回数に相当する長さを撮像回数長として決定する撮像回数長決定手段と、上記撮像回数長を時系列に撮像回数長表示として生成する撮像回数長表示生成手段とを具備することを特徴とする画像生成装置である。これにより、単位期間ごとの画像撮像回数の様子を表示させるという作用をもたらす。
【００２２】
また、本発明の第３の側面において、上記撮像回数長表示生成手段は、上記撮像回数長表示の一方の軸方向においては上記画像の上記単位期間の位置を表示させ、他方の軸方向においては上記撮像回数長を表示させるものとして２次元に表示された上記撮像回数長表示を生成することを特徴とする画像生成装置である。これにより、一方の軸方向には単位期間を表示させ、他方の軸方向には画像の撮像回数の様子を表示させるという作用をもたらす。
【００２３】
また、本発明の第３の側面において、上記撮像回数長決定手段は、上記撮像回数長を上記単位期間あたりに画像を撮像した最大の回数に対する上記単位期間あたりに画像を撮像した回数の割合に基づいて決定することを特徴とする画像生成装置である。これにより、画像の撮像回数の違いを明確に表した表示をさせるという作用をもたらす。
【００２４】
また、本発明の第４の側面は、記録媒体から所定の画像の撮像日時を取得する撮像日時取得手段と、所定期間を表す期間表示において上記撮像日時の対応する位置を撮像位置として決定する撮像位置決定手段と、上記期間表示および上記撮像位置を重ね合わせて表示する撮像位置表示手段とを具備することを特徴とする表示装置である。これにより、撮像位置表示において所定期間における画像を撮像した日時の位置を相対的に表示させるという作用をもたらす。
【００２５】
また、本発明の第５の側面において、記録媒体から所定の画像の撮像日時を取得する撮像日時取得手順と、所定期間を表す期間表示において上記撮像日時の対応する位置を撮像位置として決定する撮像位置決定手順と、上記期間表示および上記撮像位置を重ね合わせて撮像位置表示として生成する撮像位置表示生成手順とを具備することを特徴とする画像生成方法である。これにより、撮像位置表示において所定期間における画像を撮像した日時の位置を相対的に表示させるという作用をもたらす。
【００２６】
また、本発明の第６の側面において、記録媒体から所定の画像の撮像日時を取得する撮像日時取得手順と、上記撮像日時に基づいて上記所定の画像における各画像の撮像開始日時を生成する撮像開始日時生成手順と、所定期間を表す期間表示において上記撮像開始日時の対応する位置を撮像開始位置として決定する撮像開始位置決定手順と、２次元表示における少なくとも一方の軸方向には上記所定期間に対する上記撮像開始位置を表示する撮像位置表示を生成する撮像位置表示生成手順とを具備することを特徴とする画像生成方法である。これにより、撮像位置表示を２次元表示させると同時に、撮像位置表示において所定期間における画像を撮像した日時の位置を相対的に表示させるという作用をもたらす。
【００２７】
また、本発明の第７の側面において、記録媒体から所定の画像の撮像日時を取得する撮像日時取得手順と、上記画像の撮像日時に基づいて所定期間内における単位期間あたりに画像を撮像した回数に相当する長さを撮像回数長として決定する撮像回数長決定手順と、上記撮像回数長を時系列に撮像回数長表示として生成する撮像回数長表示生成手順とを具備することを特徴とする画像生成方法である。これにより、単位期間ごとの画像撮像回数の様子を表示させるという作用をもたらす。
【発明の効果】
【００２８】
本発明によれば、シーンごとの全撮像時間や記録容量を画像の撮像日時と関連付けて表示させるという優れた効果を奏し得る。
【発明を実施するための最良の形態】
【００２９】
次に本発明の実施の形態について図面を参照して詳細に説明する。
【００３０】
図１は、本発明の実施の形態における画像生成装置１００の外観の一例を示したものである。画像生成装置１００は、レンズ部１０１と、ビューファインダー部１０２と、液晶表示部１０３と、静止画撮像釦部１０４と、動画撮像釦１０５と、電源スイッチ１０６と、記録媒体格納部１０７と、把持補助部材１０８と、バッテリ部１０９とを備える。
【００３１】
レンズ部１０１は、撮像しようとする被写体を、例えばＣＣＤ（Charge Coupled Device）などの撮像素子に結像させるなどの役割を果たす。ビューファインダー部１０２は、撮像者が撮像中に被写体を覗く役割を果たす。このビューファインダー部１０２は、光学式と電子式のどちらでも可能である。液晶表示部１０３は、レンズ部１０１でとらえた被写体の画像を表示させ、また画像データ再生中は画像データを表示させる役割を果たす。また、液晶表示部１０３は、液晶表示部の画面表面を指などで押下することによって画像生成装置を操作させるタッチパネル操作機能が付加されることが多いが、本発明の実施の形態においても液晶表示部１０３にタッチパネル操作機能を付加するようにしてもよい。液晶表示部１０３は、例えば、ＬＣＤ（Liquid Crystal Display）により構成されるが、その他有機ＥＬディスプレイ（organic electroluminescence display）により構成してもよい。
【００３２】
静止画撮像釦部１０４は、静止画像を撮像する際に押下する釦である。動画撮像釦１０５は、動画像を撮像する際に押下する釦である。電源スイッチ１０６は、本発明の実施の形態における画像生成装置１００を起動させるためのスイッチである。記録媒体格納部１０７は、例えば、ＤＶＤディスクなどの記録媒体を格納する。把持補助部材１０８は、本発明の実施の形態における画像生成装置１００を把持するための補助部材である。バッテリ部１０９は、本発明の実施の形態における画像生成装置１００に電力を供給する。
【００３３】
図２は、本発明の実施の形態における画像生成装置１００の一構成例を示す図である。この画像生成装置１００は、カメラ部１０と、記録再生処理部２０と、制御部３０とを備える。
【００３４】
カメラ部１０は、光学ブロック１１と、カメラ制御部１２と、信号変換器１３と、撮像信号処理部１４と、音声入力部１５と、音声信号処理部１６とを備える。光学ブロック１１は、内部に、被写体を撮像するためのレンズ群、絞り調整機構、フォーカス調整機構、ズーム機構、シャッター機構、フラッシュ機構および手ぶれ補正機構などを備える。カメラ制御部１２は、制御部３０からの制御信号を受けて、光学ブロック１１に供給する制御信号を生成する。生成した制御信号を光学ブロック１１に供給して、ズーム制御、シャッター制御および露出制御などを行う。
【００３５】
信号変換器１３は、例えばＣＣＤなどの撮像素子により構成され、その結像面に、光学ブロック１１を通じた像が結像される。この信号変換器１３は、シャッター操作に応じて制御部３０から供給される画像取り込みタイミング信号を受けて、結像面に結像されている被写体像を撮像信号に変換し、撮像信号処理部１４に供給する。
【００３６】
撮像信号処理部１４は、制御部３０からの制御信号に基づいて、撮像信号についてのガンマ補正やＡＧＣ（Auto Gain Control）などの処理を行なうとともに、撮像信号をデジタル信号としての画像信号に変換する処理も行なう。音声入力部１５は、撮像時の被写体周辺の音声を収集する。この音声入力部１５からの音声信号は音声信号処理部１６に供給される。音声信号処理部１６は、制御部３０からの制御信号に基づいて、音声信号についての補正やＡＧＣなどの処理を行なうとともに、音声信号をデジタル信号に変換する処理も行なう。
【００３７】
記録再生処理部２０は、符号化／復号回路２１と、ディスクインターフェース２３と、バッファメモリ２５とを備える。
【００３８】
符号化／復号回路２１は、カメラ部１０からの画像信号および音声信号などを符号化し多重化して圧縮データに変換する符号化機能を有する。一方、符号化／復号回路２１は、圧縮データから画像信号および音声信号などを分離して復号する復号機能を有する。また、符号化／復号回路２１は、制御部３０からの制御信号に基づき、撮像信号処理部１４からの画像信号に対して、自動ホワイトバランス制御、露出補正制御、デジタルズーム倍率に応じた拡大制御などをさらに行なう。
【００３９】
ディスクインターフェース２３は、符号化／復号回路２１から圧縮データを受けてディスク４９に書き込む。また、ディスクインターフェース２３は、ディスク４９から圧縮データを読み出して符号化／復号回路２１に供給する。バッファメモリ２５は、例えばＳＤＲＡＭなどにより構成され、符号化／復号回路２１における符号化または復号のための作業領域として利用される。
【００４０】
制御部３０は、処理装置３１と、ＲＯＭ（Read Only Memory）３３と、ＲＡＭ（Random Access Memory）３４と、操作入力部４１を接続するための操作入力インターフェース３５と、表示部４２を接続するための表示制御部３６と、メモリカード４３を装填するためのメモリカードインターフェース３７と、スピーカ４４を接続するための音声制御部３８と、撮像時刻を記録するための時計回路３９とがシステムバス３２を介して接続されることにより構成される。
【００４１】
処理装置３１は制御部３０全体の処理を司るものであり、作業領域としてＲＡＭ３４を使用する。ＲＯＭ３３には、カメラ部１０を制御するためのプログラムや、画像信号や音声信号の記録制御および再生制御などを実行するためのプログラムが書き込まれている。
【００４２】
操作入力インターフェース３５に接続される操作入力部４１には、撮像モードと再生モードなどの他のモードとを切り換えるモード切り換えキー、ズーム調整キー、露出調整のためのキー、シャッターキー、動画撮像用キー、表示部４２における表示調整キーなどの複数のキーが設けられている。操作入力インターフェース３５は、操作入力部４１からの操作信号を処理装置３１に伝える。処理装置３１は、操作入力部４１においていずれのキーが操作されたかを判別し、その判別結果に応じた制御処理を行なう。
【００４３】
表示制御部３６に接続される表示部４２は、例えばＬＣＤなどにより構成され、処理装置３１の制御の下に、カメラ部１０からの画像信号や、ディスク４９から読み出された画像信号を表示する。なお、表示部４２は、図１の液晶表示部１０３の機能の一部を構成する。
【００４４】
メモリカードインターフェース３７は、符号化／復号回路２１からの圧縮データをメモリカード４３に書き込む。また、メモリカードインターフェース３７は、メモリカード４３から圧縮データを読み出して符号化／復号回路２１に供給する。時計回路３９は、年、月、日、時間、分、秒などを表わす時間情報を生成する。
【００４５】
音声制御部３８に接続されるスピーカ４４は、処理装置３１の制御の下に、カメラ部１０からの音声信号や、ディスク４９から読み出された音声信号を再生する。
【００４６】
図３は、本発明の実施の形態における画像生成装置１００に表示させる撮像位置表示の構成の一例を示す図である。図３（ａ）は、撮像日時に対応する位置として撮像開始日時を基準とした撮像位置表示１２０の構成を示す。撮像位置表示１２０は、期間表示１２１と、画像を撮像開始日時に対応する位置表示である撮像開始位置表示１２２乃至１３６とを備える。
【００４７】
期間表示１２１は、画像を撮像した日時の分布を表示させるための期間を表す。期間表示１２１の縦の長さが画像を撮像した日時の分布を表示させるための期間を表す。画像を撮像した日時の分布を表示させるための期間は、例えば２００５年１月１日１０時から２００５年１月１日２２時までの時間の範囲である。
【００４８】
撮像開始位置表示１２２乃至１３６は、期間表示に対し画像の撮像を開始した日時に相当する位置を表す。例えば、期間表示１２１の期間が上述の２００５年１月１日１０時から２００５年１月１日２２時までである場合、撮像開始位置表示１２９は期間表示１２１中の略中央に位置するが、これより撮像開始位置表示１２９は、２００５年１月１日１６時付近に撮像が開始されたものを表すということがわかる。
【００４９】
図３（ｂ）は、撮像日時に対応する位置として撮像開始日時および撮像時間を基準とした撮像位置表示１４０の構成を示す。撮像位置表示１４０は、期間表示１４１と、画像の撮像開始から撮像終了までを示す撮像時間長表示１４２乃至１５６とを備える。
【００５０】
撮像位置表示１２０は、各画像の撮像の開始日時のみを表示したものであるが、撮像位置表示１４０は、各画像の撮像の開始日時のみならず、撮像時間の範囲の表示（以下、撮像時間長表示と呼ぶ。）をも表したものである。図３（ｂ）において、撮像時間長表示１４２乃至１５６の縦の長さが撮像時間の長さを表している。なお、静止画についての撮像時間長表示１４６および１５６については縦の長さはないがこれは静止画についての撮像時間は０秒として扱っているからである。
【００５１】
図３（ｃ）は、撮像日時に対応する位置として撮像開始日時および記録容量を基準とした撮像位置表示１６０の構成を示す。撮像位置表示１６０は、期間表示１６１と、画像の記憶容量を長さで表した記録容量長表示１６２乃至１７８とを備える。
【００５２】
記録容量長表示１６２乃至１７８の縦の位置については、図３（ａ）で示した撮像開始位置表示と同様各画像の撮像日時を示すが、横の長さについては各画像の記録容量の大きさを表す。この記録容量の大きさについては、例えば、各画像のうちで一番大きな記録容量を持つ記録容量長表示１６５に対応する画像の記録容量に対する各画像の記録容量の割合として表す。また、記録容量長表示は、撮像開始位置表示を始点として記録容量の大きさを示す表示を縦方向に設け、３（ｂ）に示すような表示とすることも可能である。
【００５３】
また、図３（ｃ）の撮像位置表示１６０は、縦方向を例えば２００５年１月１日から２００５年１月１５日というような期間とし、横方向をある単位時間あたりに画像を撮影した回数を長さで表した表示（以下、撮像回数長表示と呼ぶ。）を備えた撮像頻度表示とすることも可能である。
【００５４】
なお、図３において、撮像開始位置表示は、撮像開始位置表示１２２乃至１３６のみが表され、撮像時間長表示は、撮像時間長表示１４２乃至１５６のみが表され、記録容量長表示または撮像回数表示は、記録容量長表示（撮像回数表示）１６２乃至１７８のみが表されているが、これはあくまで一例であって撮像回数が多ければさらに多くの撮像開始位置表示などが表示されるし、逆に撮像回数が少なければさらに少ない撮像開始位置表示などが表示される。
【００５５】
図４は、本発明の実施の形態における撮像位置表示を作成する機能の構成の一例を示す図である。この機能は、撮像情報取得部２０１と、インデックステーブル２０２と、撮像開始位置決定部２０３と、期間設定部２０４と、撮像時間長決定部２０５と、記録容量長決定部２０６と、撮像回数長決定部２０７と、撮像位置表示生成部２０８と、単位時間設定部２０９と、撮像頻度表示生成部２１０と、効果表示付加部２１１と、操作部２１２と、期間短縮設定部２１３とを備える。
【００５６】
撮像情報取得部２０１は、ディスク４９から読み出したデータのうち例えば、動画データおよび静止画データのファイル名、ファイル名に対応する動画データおよび静止画データの撮像開始日時、ファイル名に対応する動画データの撮像時間の長さ、ファイル名に対応する動画データおよび静止画データの記録容量などの動画データおよび静止画データに関する情報（以下、撮像情報と呼ぶ。）を取得する。また、撮像情報取得部２０１は、この取得した撮像情報をインデックステーブル２０２に供給する。インデックステーブル２０２は、撮像情報取得部２０１から供給された撮像情報を保持する。
【００５７】
撮像開始位置決定部２０３は、各動画データおよび静止画データの撮像開始日時に基づいて、撮像位置表示における期間表示中のどの位置に各動画データおよび静止画データの撮像を開始した日時に相当する表示をさせるかを決定する。そして、撮像開始位置決定部２０３は、この決定結果を撮像位置表示生成部２０８に供給する。
【００５８】
期間設定部２０４は、期間表示における期間を設定する。この期間表示における期間は、例えば期間の開始日時と期間の終了日時を特定して設定される。設定された期間を基準に上記撮像開始位置決定部２０３において、期間表示中のどの位置に各動画データおよび静止画データの撮像日時に相当する表示をさせるかの決定が行われる。
【００５９】
撮像時間長決定部２０５は、動画データの撮像開始日時および撮像時間に基づいて期間表示に対するその動画データの撮像時間長表示の表示範囲を決定する。そして、撮像時間長決定部２０５は、この決定結果を撮像位置表示生成部２０８に供給する。
【００６０】
記録容量長決定部２０６は、動画データおよび静止画データの記録容量に基づいて記録容量長表示の長さを算出する。また、撮像回数長決定部２０７は、動画データおよび静止画データの撮像日時に基づいて、例えば日付や時間ごとの単位時間あたりの撮像回数長の長さを決定する。そして、記録容量長決定部２０６は、決定結果を撮像位置表示生成部２０８に供給する。また、撮像回数長決定部２０７は、決定結果を撮像頻度表示生成部２１０に供給する。
【００６１】
撮像位置表示生成部２０８は、撮像開始位置決定部２０３、撮像時間長決定部２０５、記録容量長決定部２０６から供給された決定結果に基づいて撮像位置表示を生成する。撮像頻度表示生成部２１０は、撮像回数長決定部２０７から供給された決定結果に基づいて撮像頻度表示を生成する。
【００６２】
効果表示付加部２１１は、撮像位置表示生成部２０８および撮像頻度表示生成部２１０で生成された撮像位置表示および撮像頻度表示に対し、後述する効果表示を付加する。そして、効果表示付加部２１１は、効果表示が付加された撮像位置表示および撮像頻度表示を表示制御部３６に供給する。効果表示が付加された撮像位置表示および撮像頻度表示は、表示部４２で表示される。
【００６３】
単位時間設定部２０９は、撮像回数表示させるときの単位時間を設定する。この単位時間の設定は、例えば１日ごとや１時間ごとの設定が想定される。
【００６４】
操作部２１２は、撮像位置表示の任意の部分を選択させるものである。例えば、撮像位置表示の中央を選択したい場合は、操作部２１２によって撮像位置表示の中央を選択する。期間短縮設定部２１３は、操作部２１２によって選択された撮像位置表示の所定の部分の日時を期間表示における期間に含ませ、かつ選択前の期間よりも期間が短くなるような設定を期間設定部２０４に行う。例えば、撮像位置表示の２００５年１月１日１２時付近が操作部２１２によって選択された場合、期間短縮設定部２１３は、期間表示における期間が２００５年１月１日１２時から１３時までというような設定を期間設定部２０４に対し行う。
【００６５】
なお、撮像情報取得部２０１は、例えば、図２におけるディスクインターフェース２３により実現することができる。撮像開始位置決定部２０３と、期間設定部２０４と、撮像時間長決定部２０５と、記録容量長決定部２０６と、撮像回数長決定部２０７と、撮像位置表示生成部２０８と、単位時間設定部２０９と、撮像頻度表示生成部２１０と、効果表示付加部２１１と、期間短縮設定部２１３とは、主として処理装置３１により実現することができる。インデックステーブル２０２は、ＲＡＭ３４において実現できる。操作部２１２は、操作入力インターフェース３５および操作部入力４１およびにより実現することができる。
【００６６】
図５は、上述のインデックステーブル２０２の一例を示す図である。インデックステーブル２０２は、ファイル名２２１と、識別フラグ２２２と、撮像開始日時２２３と、撮像時間長２２４と、ファイルサイズ２２５とを備える。ファイル名２２１は、動画データまたは静止画データのファイル名を表している。ＭＯＶＩＥ０１乃至ＭＯＶＩＥ０４は、動画データのファイルである。また、ＩＭＧ０１およびＩＭＧ０２は、静止画データのファイル名である。
【００６７】
識別フラグ２２２は、ファイル名２２１に対応するデータが動画データか静止画データかを示す。図５においては、ファイル名２２１が動画データの場合は「○」とし、ファイル名２２１が静止画データの場合は「×」としてある。撮像開始日時２２３は、動画データおよび静止画データの撮像開始日時を示す。撮像開始日時２２３は、例えば年月日および時刻にて示してあり、時刻の最小単位は秒単位で表す。図５において、「２００５：０１：０１：１０：５０：２３」と表しているのは、２００５年１月１日１０時５０分２３秒を意味する。撮像時間長２２４は、動画データまたは静止画データの撮像時間の長さを示す。図５において、「６：２１」と表しているのは、６分２１秒を意味する。なお、静止画データの場合、撮像時間長２２４は「０」とし、これは０秒を意味する。
【００６８】
ファイルサイズ２２５は、ファイル名２２１に対応する動画データまたは静止画データの容量を示す。なお、図５中の「Ｍ」はメガバイトを表し、「Ｋ」はキロバイトを表す単位である。
【００６９】
図６は、本発明の実施の形態における撮像位置表示とサムネイル表示とを連動させて表示させる機能（以下、表示連動機能と呼ぶ。）の構成の一例である。表示連動機能は、操作部３０１と、選択領域判断部３０２と、選択領域対応テーブル３０３と、サムネイル抽出部３０４と、サムネイル保持部３０５と、表示部３０６と、被選択表示生成部３０７とを備える。
【００７０】
操作部３０１は、撮像位置表示中の任意の点を選択させる。この操作部３０１は、例えば、本発明の実施の形態においてタッチパネル方式にしてもよい。選択領域判断部３０２は、操作部３０１において、例えば、撮像位置表示の任意の点を選択した場合にその任意の点がどの選択領域に属するのかを判断する。ここで選択領域とは、期間表示を所定の数に分割したとき、分割されたそれぞれの領域を言う。どの選択領域に属するのかの判断は、選択領域対応テーブル３０３における情報に基づいて行う。選択領域判断部３０２においてどの選択領域に属するかが判断されると、その選択領域に対応するサムネイルについての情報がサムネイル抽出部３０４へ送られる。
【００７１】
選択領域対応テーブル３０３は、選択領域および選択領域に対応するサムネイルについての情報を保持する。サムネイル抽出部３０４は、選択領域判断部３０２から送られてきたサムネイルについての情報に基づいてサムネイル保持部３０５から必要なサムネイルを抽出して表示部３０６へ送る。
【００７２】
サムネイル保持部３０５は、記録媒体に保持されている動画データおよび静止画データのサムネイルを保持する。動画データのサムネイルは、例えば動画のファイル名に相当するデータの先頭画面を縮小したものを用いる。表示部３０６は、サムネイル抽出部３０４から送られてきたサムネイルを表示する。
【００７３】
被選択表示生成部３０７は、操作部３０１において選択された選択領域を表す被選択表示を生成する。この生成された被選択表示は、撮像位置表示上に表示される。
【００７４】
以上の表示連動機能により、操作部３０１において撮像位置表示中の任意の点を選択するとその選択した点に対応するサムネイルが表示部３０６中に表示されることになる。
【００７５】
なお、選択領域判断部３０２と、サムネイル抽出部３０４と、被選択表示生成部３０７とは、主として処理装置３１により実現することができる。操作部３０１は、操作入力インターフェース３５および操作部入力４１およびにより実現することができる。選択領域対応テーブル３０３と、サムネイル保持部３０５とはＲＡＭ３４において実現できる。
【００７６】
図７は、本発明の実施の形態における画像生成装置の表示画面の一例である。表示画面３１０中には、期間表示３３６と撮像開始位置表示３２１乃至３３５とからなる撮像位置表示３２０と、被選択表示３３７と、サムネイル表示３４１乃至３４６と、画面スクロール３５１および３５２と、現在表示されている画面の頁を表す選択頁３５３とが表示されている。
【００７７】
なお、撮像位置表示３２０は、図３（ａ）に示した撮像位置表示であるが、図３（ｂ）および図３（ｃ）で説明した撮像位置表示および撮像頻度表示を用いてもよい。また、期間表示３２６、撮像開始位置表示３２１乃至３３５および撮像位置表示３２０の内容については図３で説明済みなので省略する。
【００７８】
撮像位置表示３２０は、図７において３つの選択領域に分割されている。これは、期間表示において撮像日時表示位置を６つに含むように３つの領域に分けた例を表している。撮像位置表示３２０の上端から撮像開始位置表示３２７の直前までを選択領域＃１とし、撮像開始位置表示３２７から撮像開始位置表示３３３の直前までを選択領域＃２とし、撮像開始位置表示３３３から撮像位置表示３２０の下端までを選択領域＃３としてある。
【００７９】
本発明の実施の形態における画像生成装置１００において、表示画面３１０に表示されているサムネイル表示３４１乃至３４６は、選択領域２における撮像開始位置表示３２７乃至３３３に対応するサムネイルである。つまり、選択領域２のうち任意の点を操作部３０１から選択すると図６で説明した表示連動機能により表示画面３１０には、サムネイル表示３４１乃至３４６がなされる。
撮像開始位置表示３２７は、サムネイル表示３４１に対応する。また、撮像開始位置表示３２８は、サムネイル表示３４２に対応する。また、撮像開始位置表示３２９は、サムネイル表示３４３に対応する。また、撮像開始位置表示３３０は、サムネイル表示３４４に対応する。また、撮像開始位置表示３３１は、サムネイル表示３４５に対応する。また、撮像開始位置表示３３２は、サムネイル表示３４６に対応する。
【００８０】
そして、選択された選択領域には、被選択表示生成部３０７で生成された被選択表示３３７が表示される。これにより、表示画面３１０中に表示されているサムネイル表示に対応する選択領域をユーザに認識しやすくなる。画面スクロール３５１は、操作部３０１から選択すると図７においては、選択領域１に対応するサムネイル表示がなされ、選択領域１のところに被選択表示３３７が表示される。
【００８１】
また、画面スクロール３５２は、操作部３０１から選択すると図７においては、選択領域３に対応するサムネイル表示がなされ、選択領域３のところに被選択表示３３７が表示される。選択頁３５３は、「現在表示画面５０１に表示されている選択領域／全選択領域数」であり、図７においては、現在表示画面５０１に表示されている選択領域は、選択領域２なので「２」と表示され、全選択領域数は３つなので「３」と表示されている。
【００８２】
撮像位置表示３２０の任意の点を選択するとその部分が拡大されるようにしてもよい。この任意の点の選択は、例えば操作方法がタッチパネル方式の場合、表示画面３１０中に表示されている撮像位置表示３２０に直接触れればよい。なお、この拡大されるという意味は、例えば期間表示３３６における期間の範囲が２００５年１月１日１０時から２００５年１月１日２２時までである場合に撮像位置表示３２０の中央部を選択すると期間表示３３６における期間が２００５年１月１日１６時から２００５年１月１日１７時になり、１時間の範囲における撮像位置表示になるという意味である。これは、期間短縮設定部２１３により実現される。
【００８３】
また、図示していないが撮像位置表示３２０に効果表示を表示させるようにしてもよい。これは、効果表示付加部２１１により実現される。効果表示とは、例えば朝の６時から夕方の５時くらいまでは撮像位置表示３２０の背景の色を白にし、それ以外の時間は撮像位置表示３２０の背景の色をグレーに表示させるものである。なお、この効果表示は一例であって他の分け方によって分けて違う効果表示を付加してもよい。
【００８４】
図８は、上述の選択領域対応テーブル３０３の一例を示す図である。選択領域３７１は、選択領域の番号を示す。対応領域３７２は、選択領域に対応する表示画面上の部分を座標で示したものである。例えば図７における撮像位置表示３２０は、長方形の形状をしているので選択領域は、表示画面上に任意に座標をとれば２つの座標で表すことができる。
【００８５】
選択領域１は、座標｛（Ｘ１、Ｙ１）、（Ｘ２、Ｙ２）｝で表される表示画面上の範囲となる。また、選択領域２は、座標｛（Ｘ３、Ｙ３）、（Ｘ４、Ｙ４）｝で表される表示画面上の範囲となる。また、選択領域３は、座標｛（Ｘ５、Ｙ５）、（Ｘ６、Ｙ６）｝で表される表示画面上の範囲となる。表示画面上の位置は、画素の位置により特定できるのでこのように座標を用いた扱いができる。
【００８６】
対応サムネイル３７３は、選択領域３７１に対応するサムネイルを示す。選択領域１に対応するサムネイルはサムネイル＃１乃至６（ＩＭＧ１．ＪＰＧ乃至ＩＭＧ６．ＪＰＧ）で表されるサムネイルデータである。また、選択領域２に対応するサムネイルはサムネイル＃７乃至１１（ＩＭＧ７．ＪＰＧ乃至ＩＭＧ１１．ＪＰＧ）で表されるサムネイルデータである。また、選択領域３に対応するサムネイルはサムネイル＃１２および１３（ＩＭＧ１２．ＪＰＧ乃至ＩＭＧ１３．ＪＰＧ）で表されるサムネイルデータである。
【００８７】
図９は、本発明の実施の形態において、ディスク４９に、ＤＶＤ−Ｖｉｄｅｏ規格によるディスクを用いた場合のディスクのデータ構造を示す図である。ディスクは円盤上の構造をしており、内周側から順にリードイン領域５０１、ファイルシステム領域５０２、管理情報領域５０３、データ記録領域５０４、リードアウト領域５０５が設けられている。ファイルシステム領域５０２は、ファイルシステムの管理領域であり、ＩＳＯ９６６０およびＵＤＦ（Universal Disk Format）の規格に準拠するように設けられている。管理情報領域５０３は、ディスク上に記録されているビデオコンテンツ全体の管理情報を保持する領域である。データ記録領域５０４は、各ビデオタイトルセットの内容およびその制御情報を保持する領域である。
【００８８】
管理情報領域５０３には、ＶＭＧ（Video ManaGer）５１０が保持される。このＶＭＧ５１０は、ＶＭＧＩ（ＶＭＧ Information）５１１と、ＶＭＧＭ＿ＶＯＢＳ（Video OBject Set for ＶＭＧ Menu）５１２と、ＶＭＧＩ＿ＢＵＰ（ＶＭＧＩ for Back UP）５１３とを備えている。ＶＭＧＩ５１１は、ディスク上に記録されているビデオコンテンツのタイトル毎の管理情報やトップメニューの制御情報などを保持する。ＶＭＧＭ＿ＶＯＢＳ５１２は、トップメニューのデータを保持する。また、ＶＭＧＩ＿ＢＵＰ５１３は、ＶＭＧＩ５１１のバックアップ用コピーである。
【００８９】
データ記録領域５０４には、ＶＴＳ（Video Titles Set）５２０が少なくとも１つ保持される。各ＶＴＳ５２０は、それぞれＶＴＳＩ（ＶＴＳ Information）５２１と、ＶＴＳＭ＿ＶＯＢＳ（Video OBject Set for ＶＴＳ Menu）５２２と、ＶＴＳＴＴ＿ＶＯＢＳ（Video Object Set for Titles in a ＶＴＳ）５２３と、ＶＴＳＩ＿ＢＵＰ（ＶＴＳＩ for Back UP）５２４とを備えている。ＶＴＳＩ５２１は、そのビデオタイトルセットに含まれるタイトルのチャプター毎の管理情報や制御情報およびチャプターメニューの制御情報などを保持する。ＶＴＳＭ＿ＶＯＢＳ５２２は、チャプターメニューのデータを保持する。ＶＴＳＴＴ＿ＶＯＢＳ５２３は、そのビデオタイトルセットに含まれるタイトルのデータを保持する。また、ＶＴＳＩ＿ＢＵＰ５２４は、ＶＴＳＩ５２１のバックアップ用コピーである。
【００９０】
図１０は、ビデオタイトルセット（ＶＴＳ）におけるタイトルとチャプターとの関係を示す図である。上述のように、ビデオコンテンツの実データはＶＴＳＴＴ＿ＶＯＢＳ５２３に記録される。各ＶＴＳ５２０には、最大９９タイトルまで格納できる。但し、ディスク全体としても最大９９タイトルまでしか格納できないため、この最大タイトル数は他のＶＴＳの使用状況に影響を受けることになる。
【００９１】
ＶＴＳ５２０における各タイトルは、少なくとも１つのチャプターに区分される。各タイトルの最大チャプター数は９９である。カムコーダにおいては、記録開始から記録終了までの１回の記録単位がチャプターとして記録され、例えば、ディスクがイジェクトされた場合、タイトル内で９９チャプターに達した場合、タイトル内で９９セルに達した場合、動画記録から静止画記録に移行した場合などの事象が生じるまで同一タイトル内にチャプターが生成されていく。従って、カムコーダにおいて繰り返し記録を行っている際にタイトル内のチャプター数が９９に達すると、そのタイトルが閉じられ、次のチャプターは新たなタイトル内に生成される。
【００９２】
各タイトルにおけるチャプターの開始位置を保持するのはＶＴＳＩ５２１である。後述するように、ＶＴＳＩ５２１は、タイトル毎の管理情報（ＴＴＵ）として各チャプターの開始位置を示すポインタ（ＰＴＴ＿ＳＲＰ）を保持している。
【００９３】
なお、図５に示すインデックステーブルにおけるファイル名２２１に対応する動画データは、例えば上記チャプターが想定される。
【００９４】
図１１は、ビデオオブジェクトセット（ＶＯＢＳ）の構成要素を示す図である。図９のＶＭＧＭ＿ＶＯＢＳ５１２、ＶＴＳＭ＿ＶＯＢＳ５２２、および、ＶＴＳＴＴ＿ＶＯＢＳ５２３は、それぞれのデータをビデオオブジェクトセット（ＶＯＢＳ）として保持するものであり、共通の形式を有する。このＶＯＢＳ５３０は、１個以上のビデオオブジェクト（ＶＯＢ）５３１の集合である。このＶＯＢ５３１は、１個以上のセル（Ｃｅｌｌ）５３２により構成される。
【００９５】
セル５３２は、１個以上のビデオオブジェクトユニット（ＶＯＢＵ）５３３を含む。このＶＯＢＵ５３３は、ナビゲーションパック（ＮＶ＿ＰＣＫ）５３４を先頭とするパック列である。パックとは、２０４８バイトの固定データであり、先頭のＮＶ＿ＰＣＫ５３４の他、映像データを保持する映像パック（Ｖ＿ＰＣＫ）５３５、音声データを保持する音声パック（Ａ＿ＰＣＫ）５３６、サブピクチャデータを保持するサブピクチャパック（ＳＰ＿ＰＣＫ）５３７、追加記録情報を保持する追加記録情報パック（ＡＲＩ＿ＰＣＫ）５３８などを必要に応じて備える。
【００９６】
ＮＶ＿ＰＣＫ５３４は、パックヘッダ５４１に続いて、再生制御情報（ＰＣＩ：Presentation Control Information）５４２およびデータ検索情報（ＤＳＩ：Data Search Information）５４３を保持する。ＰＣＩ５４２は、再生表示に関する制御情報である。ＤＳＩ５４３は、ディスクにアクセスするための制御情報である。
【００９７】
図１２は、本発明の実施の形態における追加記録情報（ＡＲＩ＿ＰＣＫ）のデータ構造を示す図である。このＡＲＩ＿ＰＣＫ５３８に含まれる情報は、追加記録情報識別子、アプリケーション情報、記録時間情報、カメラ情報の４種類に大別される。
【００９８】
追加記録識別子は、パケット内データが追加記録情報であることを認識させるための識別子であり、追加記録情報データ識別子（ＡＲＩ＿ＤＡＴ＿ＩＤ）と、そのバージョン番号（ＡＲＩ＿ＤＡＴ＿ＶＥＲ）が記録される。
【００９９】
アプリケーション情報には、製品の製造元であるベンダー名（ＶＮＤ＿ＮＡＭＥ）、製品名であるプロダクト名（ＰＲＤ＿ＮＡＭＥ）などが含まれる。
【０１００】
記録時間情報には、当該追加記録情報が含まれるＶＯＢＵについての追加記録情報データ（ＡＲＩ＿ＤＡＴＡ）の記録時のタイムゾーン（ＶＯＢＵ＿ＬＣＬ＿ＴＭ＿ＺＯＮＥ）と、ＡＲＩ＿ＤＡＴＡの記録時間（ＶＯＢＵ＿ＲＥＣ＿ＴＭ）とが記録される。ＶＯＢＵ＿ＲＥＣ＿ＴＭは、例えば、Ｉピクチャのフレームの撮像時間として、年、月、日、時、分、秒で記述される。ＶＯＢＵ＿ＬＣＬ＿ＴＭ＿ＺＯＮＥは、ＶＯＢＵ＿ＲＥＣ＿ＴＭに対するタイムゾーンが記録される。ここで、タイムゾーンとは、ユーザが機器に設定したＵＴＣ（Ｃｏｏｒｄｉｎａｔｅｄ  Ｕｎｉｖｅｒｓａｌ  Ｔｉｍｅ）からのオフセット時間である。すなわち、記録装置を使用する国の時刻（ローカルタイム）に対応した時差である。ＶＯＢＵ＿ＲＥＣ＿ＴＭとして、ユニバーサルタイム（全世界で時刻を記録する際に使用される公式の時刻）を用いることもでき、その場合には、ＶＯＢＵ＿ＬＣＬ＿ＴＭ＿ＺＯＮＥは、ゼロに設定される。
【０１０１】
本発明の実施の形態において、ディスク４９にＤＶＤ−Ｖｉｄｅｏ規格によるディスクを用いた場合、動画データの撮像開始日時および撮像時間の長さは、ＡＲＩ＿ＤＡＴＡの記録時間（ＶＯＢＵ＿ＲＥＣ＿ＴＭ）が用いられる。動画データの撮像開始日時は、例えば動画ファイルの一番先頭にあるＩピクチャのフレームのＡＲＩ＿ＤＡＴＡの記録時間（ＶＯＢＵ＿ＲＥＣ＿ＴＭ）が用いられ、図５におけるインデックステーブルの撮像開始日時２２３となる。また、動画データの撮像時間の長さは、例えば動画ファイルの最後にあるＩピクチャのフレームのＡＲＩ＿ＤＡＴＡの記録時間（ＶＯＢＵ＿ＲＥＣ＿ＴＭ）から動画ファイルの最初にあるＩピクチャのフレームのＡＲＩ＿ＤＡＴＡの記録時間（ＶＯＢＵ＿ＲＥＣ＿ＴＭ）の差をとることによって求められ、この求めたものが図５におけるインデックステーブルの撮像時間長２２４となる。また、記録容量についてもＵＤＦ上に格納された記録容量を用い、これが図５におけるインデックステーブルのファイルサイズ２２５となる。
【０１０２】
カメラ情報には、撮像時の設定条件などの情報として、Ｆナンバー（Ｆ＿ＮＵＭ）、露出時間（ＥＸＰ＿ＴＭ）などの情報が含められている。
【０１０３】
なお、静止画については、ＤＶＤ−Ｖｉｄｅｏ規格によるディスク中に、例えば静止画用ＤＣＦ（Design rule for Camera File system）互換のフォルダを設け、そこに静止画データを記憶させる。また、静止画データのフォーマットは、ＤＣＦにおいてはＥｘｉｆ（Exchangeable Image File Format）が用いられる。この場合、Ｅｘｉｆのヘッダに格納されている撮像日時が図５におけるインデックステーブルの撮像開始日時２２３となる。また、Ｅｘｉｆのヘッダには、静止画データの記録容量も格納されており、これが図５におけるインデックステーブルのファイルサイズ２２５となる。
【０１０４】
図１３は、期間表示３８０と任意の撮像開始位置表示３８１の関係を示す図である。期間表示３８０と撮像開始位置表示３８１とは次に述べるような関係がある。期間表示３８０における期間開始日時をＴ１、期間終了日時をＴ２、撮像開始日時をＴ３とすると、撮像開始位置表示３８１は、｛（Ｔ３−Ｔ１）／（Ｔ２−Ｔ１）｝に基づいてその位置を決定できる。
【０１０５】
以上の式を用いて、撮像開始位置決定部２０３において撮像開始位置を決定し、その結果が撮像位置表示生成部２０８に送られ、撮像位置表示が生成される。
【０１０６】
図１４は、期間表示３８２と任意の撮像時間長表示３８３の関係を示す図である。期間表示３８２と撮像時間長表示３８３とは次に述べるような関係がある。期間表示３８２における期間開始日時をＴ１、期間終了日時をＴ２、撮像時間をＴ４とすると、撮像時間長表示３８３は、｛Ｔ４／（Ｔ２−Ｔ１）｝に基づいてその表示範囲を決定できる。これは、期間表示３８２中における撮像時間長表示３８３の表示範囲を決定する式であり、図１３で説明した撮像開始位置を撮像時間長表示３８３の長さの開始位置として撮像時間長表示３８３は表示される。
【０１０７】
以上の式を用いて、撮像時間長決定部２０５において撮像時間長が決定され、その結果が撮像位置表示生成部２０８に送られ、撮像位置表示が生成される。
【０１０８】
図１５は、期間表示３８４と任意の記録容量長表示３８５の関係を示す図である。期間表示３８４と記録容量長表示３８５とは次に述べるような関係がある。撮像位置表示に表示しようとしている画像の記録容量のうち最大の記録容量をＭ１、撮像位置表示に表示しようとしている任意の画像の記録容量をＭ２とすると、（Ｍ２／Ｍ１）に基づいて記録容量長の表示範囲が決定される。また、図１５に示す図を撮像頻度表示とみると、期間表示３８４における期間のある単位時間あたりの最大撮像回数をＺ１、期間表示３８４における期間のある単位時間あたりの撮像回数をＺ２とすると（Ｚ２／Ｚ１）に基づいて撮像回数長表示の表示範囲が決定される。図１５の縦方向の位置は図１３における撮像開始位置表示３８１と同様の方法で決定される。
【０１０９】
以上の式を用いて、記録容量長決定部２０６または撮像回数長決定部２０７において撮像時間長および撮像回数長表示の表示範囲が決定され、その結果がそれぞれ撮像位置表示生成部２０８および撮像頻度表示生成部２１０に送られ、撮像位置表示および撮像頻度表示が生成される。
【０１１０】
次に本発明の実施の形態における動作について図面を参照して説明する。
【０１１１】
図１６は、本発明の実施の形態における撮像位置表示が生成されるまでの流れを示す図である。まず、記録媒体から動画データおよび静止画データに関する撮像情報を取得する（Ｓ９１１）。その撮像情報に基づいてインデックステーブルを作成する（Ｓ９１２）。このインデックステーブルは、例えば図５に示すようなファイル名２２１、識別フラグ２２２、撮像開始日時２２３、撮像時間長２２４、ファイルサイズ２２５などから構成されるものである。
【０１１２】
次に期間表示における期間を設定する（Ｓ９１３）。これは例えば、平成１７年２月１８日午前１０時から平成１７年２月１８日午後６時までというように時間範囲を設定する。インデックステーブル中の各動画データおよび静止画データに関する各情報基づいてステップＳ９１１で設定された期間表示中における撮像開始位置が決定される（Ｓ９１４）。
【０１１３】
さらにインデックステーブル中の各動画データおよび静止画データに関する撮像情報に基づいてステップＳ９１１で設定された期間表示中における撮像時間長表示の表示範囲が決定される（Ｓ９１５）。なお、ステップＳ９１５において、期間表示中における撮像時間長表示の表示範囲が決定されているが、これに限るものでない。このステップＳ９１５において、画像の記録容量長表示の表示範囲や撮像回数長表示の表示範囲を決定するものであってもよい。
【０１１４】
以上のステップ９１４およびステップＳ９１５の決定結果に基づいて撮像位置表示が生成される（Ｓ９１６）。なお、ステップ９１５において、撮像回数長表示の表示範囲が決定された場合は撮像頻度表示が生成されることになる。
【０１１５】
図１７は、撮像日時表示位置の算出の流れを示す図である。まず、期間表示おける期間についての情報を取得する（Ｓ９２１）。期間表示おける期間は、期間表示の開始日時と終了日時で特定可能である。次に画像データの撮像開始日時を取得する（Ｓ９２２）。ここで期間表示における期間内に画像データの撮像開始日時が入っているか否か判断される（Ｓ９２３）。
【０１１６】
期間表示における期間内に画像データの撮像開始日時が入っていると判断された場合、ステップＳ９２１およびステップＳ９２２で取得した情報に基づいて期間表示における撮像開始位置が決定される（Ｓ９２４）。この決定の方法であるが、例えば、期間表示の開始日時をＴ１、終了日時をＴ２、対象となっている画像データの撮像開始日時をＴ３とすると、期間表示に対する撮像日開始位置は、｛（Ｔ３−Ｔ１）／（Ｔ２−Ｔ１）｝の算出結果に基づいて決定される。期間表示における期間内に画像データの撮像開始日時が入っていないと判断された場合は何の処理も行われずにそのまま終了である。対象となっている画像データの全てについて行うまで、ステップＳ９２２およびステップＳ９２４は繰り返される（Ｓ９２５）。
【０１１７】
図１８は、撮像時間長の表示範囲の決定の流れを示す図である。これから決定しようとするデータが動画データか静止画データであるかを判断する（Ｓ９３１）。これは、図５に示すインデックステーブルの識別フラグ２２２により判断される。静止画データの場合、撮像時間は０秒として扱うので終了する。動画データである場合、期間表示における期間についての情報を取得する（Ｓ９３２）。期間表示における期間は、期間表示の開始日時Ｔ１と終了日時Ｔ２で特定可能である。次に動画データの撮像開始日時Ｔ３および撮像時間Ｔ４を取得する（Ｓ９３３）。ここで期間表示の期間内に動画データの撮像開始日時が入っているか否か判断される（Ｓ９３４）。
【０１１８】
期間表示における期間内に動画データの撮像開始日時が入っていると判断された場合、期間表示の終了日時Ｔ２と動画データの撮像終了日時（Ｔ３＋Ｔ４）のどちらの方が後の日時か判断される（Ｓ９３５）。ここで動画データの撮像終了日時（Ｔ３＋Ｔ４）の方が後の日時である場合には動画データの撮像終了日時Ｔ４は期間表示の終了日時Ｔ２に置き換えられ（Ｓ９３６）、期間表示の終了日時Ｔ２の方が後の日時の場合には置き換えられない。
【０１１９】
ステップＳ９３１およびステップＳ９３２で取得した情報に基づいて撮像時間長表示の表示範囲が算出される（Ｓ９３７）。期間表示に対する撮像時間長表示の表示範囲は、｛（Ｔ４）／（Ｔ２−Ｔ１）｝の算出結果に基づいて決定される。また、ステップＳ９３６で動画データの記録終了日時Ｔ４が期間表示の終了日時Ｔ２に置き換えられた場合、期間表示に対する撮像時間長表示の表示範囲は、｛（Ｔ２−Ｔ３）／（Ｔ２−Ｔ１）｝の算出結果に基づいて決定される。
【０１２０】
期間表示における期間内に動画データの撮像開始日時が入っていないと判断された場合は何の処理もされずそのまま終了である。画像データの全てについて、ステップＳ９３１およびステップＳ９３７は繰り返され終了する。（Ｓ９３８）。
【０１２１】
図１９は、記録容量長表示の表示範囲の決定の流れを示す図である。期間表示における期間についての情報を取得する（Ｓ９４１）。次に画像の撮像開始日時と記録容量を取得する（Ｓ９４２）。これは、例えば図５で示したインデックステーブルから取得する。次に期間表示における期間内にその画像の撮像開始日時が含まれるか否か判断する（Ｓ９４３）。期間表示における期間内に含まれない画像データについてはそのまま何も行われず終了する。撮像開始日時が期間表示における期間内に含まれる画像データの中で最大の記録容量Ｍ１を取得する（Ｓ９４４）。
【０１２２】
次に記録容量長の表示範囲が決定される（Ｓ９４５）。この記録容量長の表示範囲は、例えばステップ９４４で取得された最大の記録容量Ｍ１に対する記録容量Ｍ２の割合に基づいて決定される。全ての画像データについてステップＳ９４２からステップＳ９４５は繰り返され終了する（Ｓ９４６）。
【０１２３】
図２０は、撮像回数長表示の表示範囲の決定の流れを示す図である。単位時間を設定し（Ｓ９５１）、期間表示における期間についての情報を取得する（Ｓ９５２）。単位時間の設定は、例えば１日を単位時間としてもよいし、１時間を単位時間としてもよい。次に画像データの撮像開始日時を取得する（Ｓ９５３）。画像データの撮像開始日時が期間表示における期間内にあるか否か判断される（Ｓ９５４）。撮像開始日時が期間表示における期間内にない画像データについて以後処理を行わず終了する。
【０１２４】
撮像開始日時が期間表示における期間内にある画像データについては、設定された単位時間に基づいて振り分けられ、単位時間あたりに何回撮像されたか計数される（Ｓ９５５）。例えば、期間表示における期間が２００５年１月１日から２００５年１月１５日までとされ、単位時間が１日と設定された場合、２００５年１月１日から２００５年１月１５日まで１日単位に撮像された回数が計数される。
【０１２５】
ステップＳ９５５で計数された単位時間あたりの撮像回数に基づいて、撮像回数長表示の表示範囲が決定される（Ｓ９５６）。この決定は、例えば、ステップＳ９５５で計数された単位時間あたりの撮像回数のうち最大の回数に対する各撮像回数の割合に基づいて行われる。全ての画像データについてステップＳ９５３からステップ９５６は繰り返され終了する（Ｓ９５７）。
【０１２６】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１２７】
すなわち、請求項１において、撮像日時取得手段は、例えば撮像情報取得部２０１に対応する。また、撮像位置決定手段は、例えば撮像開始位置決定部２０３、撮像時間長決定部２０５に対応する。また、撮像位置表示生成手段は、例えば撮像位置表示生成部２０８に対応する。
【０１２８】
また、請求項２において、期間設定手段は、例えば期間設定部２０４に対応する。
【０１２９】
また、請求項４において、効果表示付加手段は、例えば効果表示付加部２１１に対応する。
【０１３０】
また、請求項７において、記録容量取得手段は、例えば撮像情報取得部２０１に対応する。また、記録容量長決定手段は、例えば記録容量長決定部２０６に対応する。
【０１３１】
また、請求項９において、操作手段は、例えば操作部３０１に対応する。また、選択領域判断手段は、例えば選択領域判断部３０２に対応する。また、サムネイル保持手段は、例えばサムネイル保持部３０５に対応する。また、サムネイル抽出手段は、例えばサムネイル抽出部３０４に対応する。
【０１３２】
また、請求項１０において、被選択表示生成手段は、例えば被選択表示生成部３０７に対応する。
【０１３３】
また、請求項１１において、操作手段は、例えば操作部２１２に対応する。また、期間短縮設定手段は、例えば期間短縮設定部２１３に対応する。
【０１３４】
また、請求項１２において、撮像日時取得手段は、例えば撮像情報取得部２０１に対応する。また、撮像開始日時生成手段は、例えばインデックステーブル２０２に対応する。また、撮像開始位置決定手段は、例えば撮像開始位置決定部２０３に対応する。また、撮像位置表示生成手段は、例えば撮像位置表示生成部２０８に対応する。
【０１３５】
また、請求項１３において、撮像時間長決定手段は、例えば撮像時間長決定部２０５に対応する。
【０１３６】
また、請求項１５において、記録容量取得手段は、例えば撮像情報取得部２０１に対応する。また、記録容量長決定手段は、例えば記録容量長決定部２０６に対応する。また、撮像位置表示生成手段は、例えば撮像位置表示生成部２０８に対応する。
【０１３７】
また、請求項１６において、撮像日時取得手段は、例えば撮像情報取得部２０１に対応する。また、撮像回数長決定手段は、例えば撮像回数長決定部２０７に対応する。また、撮像頻度表示生成手段は、例えば撮像頻度表示生成部２１０に対応する。
【０１３８】
また、請求項１９において、撮像日時取得手段は、例えば撮像情報取得部２０１に対応する。また、撮像位置決定手段は、例えば撮像開始位置決定部２０３および撮像時間長決定部２０５に対応する。また、撮像位置表示手段は、例えば撮像位置表示生成部２０８および表示部４２に対応する。
【０１３９】
また、請求項２０において、撮像日時取得手順は、例えばステップＳ９１１、ステップＳ９２２およびステップＳ９３３に対応する。また、撮像位置決定手順は、例えばステップＳ９１４、ステップＳ９１５、ステップ９２４およびステップＳ９３７に対応する。また、撮像位置表示生成手順は、例えばステップＳ９１６に対応する。
【０１４０】
また、請求項２１において、撮像日時取得手順は、例えばステップＳ９１１およびステップＳ９３３に対応する。また、撮像開始日時生成手順は、例えばステップＳ９２２に対応する。また、撮像開始位置決定手順は、例えばステップＳ９１４およびステップ９２４に対応する。また、撮像位置表示生成手順は、例えばステップＳ９１６に対応する。
【０１４１】
また、請求項２２において、撮像日時取得手順は、例えばステップＳ９１１およびステップＳ９５３に対応する。また、撮像回数長決定手順は、例えばステップＳ９１５およびステップＳ９５５およびＳ９５６に対応する。また、撮像頻度表示生成手順は、例えばステップＳ９１６に対応する。
【０１４２】
また、請求項２３において、撮像日時取得ステップは、例えばステップＳ９１１、ステップＳ９２２およびステップＳ９３３に対応する。また、撮像位置決定ステップは、例えばステップＳ９１４、ステップＳ９１５、ステップ９２４およびステップＳ９３７に対応する。また、撮像位置表示生成ステップは、例えばステップＳ９１６に対応する。
【０１４３】
また、請求項２４において、撮像日時取得ステップは、例えばステップＳ９１１およびステップＳ９３３に対応する。また、撮像開始日時生成ステップは、例えばステップＳ９２２に対応する。また、撮像開始位置決定ステップは、例えばステップＳ９１４およびステップ９２４に対応する。また、撮像位置表示生成ステップは、例えばステップＳ９１６に対応する。
【０１４４】
また、請求項２５において、撮像日時取得ステップは、例えばステップＳ９１１およびステップＳ９５３に対応する。また、撮像回数長決定ステップは、例えばステップＳ９１５およびステップＳ９５５およびＳ９５６に対応する。また、撮像頻度表示生成ステップは、例えばステップＳ９１６に対応する。
【０１４５】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１４６】
【図１】本発明の実施の形態における画像生成装置１００の外観の一例を示したものである。
【図２】本発明の実施の形態における画像生成装置１００の一構成例を示す図である。
【図３】本発明の実施の形態における画像生成装置１００に表示させる撮像位置表示の構成の一例を示す図である。
【図４】本発明の実施の形態における撮像位置表示を作成する機能の構成の一例を示す図である。
【図５】本発明の実施の形態におけるインデックステーブル２０２の一例を示す図である。
【図６】本発明の実施の形態における撮像位置表示とサムネイル表示とを連動させて表示させる機能の構成の一例である。
【図７】本発明の実施の形態における画像生成装置の表示画面の一例である。
【図８】本発明の実施の形態における選択領域対応テーブル３０３の一例を示す図である。
【図９】本発明の実施の形態において、ディスク４９に、ＤＶＤ−Ｖｉｄｅｏ規格によるディスクを用いた場合のディスクのデータ構造を示す図である。
【図１０】ビデオタイトルセット（ＶＴＳ）におけるタイトルとチャプターとの関係を示す図である。
【図１１】ビデオオブジェクトセット（ＶＯＢＳ）の構成要素を示す図である。
【図１２】本発明の実施の形態における追加記録情報（ＡＲＩ＿ＰＣＫ）のデータ構造を示す図である。
【図１３】本発明の実施の形態における期間表示３８０と任意の撮像開始位置表示３８１の関係を示す図である。
【図１４】本発明の実施の形態における期間表示３８２と任意の撮像時間長表示３８３の関係を示す図である。
【図１５】本発明の実施の形態における期間表示３８４と任意の記録容量長表示３８５の関係を示す図である。
【図１６】本発明の実施の形態における撮像位置表示が生成されるまでの流れを示す図である。
【図１７】本発明の実施の形態における撮像日時表示位置の算出の流れを示す図である
【図１８】本発明の実施の形態における撮像時間長の表示範囲の決定の流れを示す図である
【図１９】本発明の実施の形態における記録容量長表示の表示範囲の決定の流れを示す図である
【図２０】本発明の実施の形態における撮像回数長表示の表示範囲の決定の流れを示す図である
【符号の説明】
【０１４７】
１００  画像生成装置
１２０、１４０、１６０  撮像位置表示
１２１、１４１、１６１  期間表示
１２９  撮像開始位置表示
１４６  撮像時間長表示
１６５  記録容量長表示
２０１  撮像情報取得部
２０２  インデックステーブル
２０３  撮像開始位置決定部
２０４  期間設定部
２０５  撮像時間長決定部
２０６  記録容量長決定部
２０７  撮像回数長決定部
２０８  撮像位置表示生成部
２０９  単位時間設定部
２１０  撮像頻度表示生成部
２１１  効果表示付加部
２１２  操作部
２１３  期間短縮設定部
２２１  ファイル名
２２２  識別フラグ
２２３  撮像開始日時
２２４  撮像時間長
２２５  ファイルサイズ
３０１  操作部
３０２  選択領域判断部
３０３  選択領域対応テーブル
３０４  サムネイル抽出部
３０５  サムネイル保持部
３０６  表示部
３０７  被選択表示生成部
【図１】
2006287763.tif 000003
【図２】
2006287763.tif 000004
【図３】
2006287763.tif 000005
【図４】
2006287763.tif 000006
【図５】
2006287763.tif 000007
【図６】
2006287763.tif 000008
【図７】
2006287763.tif 000009
【図８】
2006287763.tif 000010
【図９】
2006287763.tif 000011
【図１０】
2006287763.tif 000012
【図１１】
2006287763.tif 000013
【図１２】
2006287763.tif 000014
【図１３】
2006287763.tif 000015
【図１４】
2006287763.tif 000016
【図１５】
2006287763.tif 000017
【図１６】
2006287763.tif 000018
【図１７】
2006287763.tif 000019
【図１８】
2006287763.tif 000020
【図１９】
2006287763.tif 000021
【図２０】
2006287763.tif 000022